(57)【要約】【課題】自動分析機に適用する採便容器において、容器側面部分を柔らかい材質にする必要がなく、また側面に物理的な圧力を加えたり、あるいは、圧力を加えるための装置（押圧装置）を自動分析機内部に備える必要もなしに、採便容器内の便懸濁液試料を濾過できるような単純な構造の採便容器を提供する。【解決手段】容器本体内に可動式濾過材を有し、該濾過材を押し下げることで容器内の便懸濁液が濾過され、かつ、濾過された試料検体の吸引サンプリングができる構造を備えた採便容器。【選択図】          図２
2005114654.tif 000002
【特許請求の範囲】
【請求項１】
容器本体内に可動式濾過材を有し、該濾過材を押し下げることで容器内の便懸濁液が濾過され、かつ、濾過された試料検体の吸引サンプリングが可能な構造を備えた採便容器。
【請求項２】
容器本体の上端部が薄肉膜状に成型されたプラスチック、あるいはシ−ル用フイルムが粘着してある請求項１記載の採便容器。
【請求項３】
可動式濾過材の材料がウレタンスポンジ、グラスウ−ル等である請求項１、および請求項２に記載の採便容器。
【請求項４】
自動分析機等による分析において、試料検体吸引ノズルにより可動式濾過材を押し下げて便縣濁液を濾過し、かつサンプリングすることを特徴とする、請求項１、請求項２および請求項３に記載の採便容器を用いた試料検体の採取方法。
【請求項５】
自動分析機等による分析において、独立した装置あるいは治具によりあらかじめ可動式濾過材を押し下げた後、濾過された試料検体を試料検体吸引ノズルによりサンプリングすることを特徴とする、請求項１、請求項２および請求項３に記載の採便容器を用いた試料検体の採取方法。
【請求項６】
吸引ノズルの形状が、吸引孔を先端部あるいは先端部側面に設置した検体試料吸引ノズルおよび該ノズルを用いる請求項４および請求項５に記載の試料検体の採取方法。
【発明の詳細な説明】
【技術分野】
【０００１】
本発明は、容器本体内に可動式濾過材を有し、該濾過材を押し下げることで容器内の便懸濁液が濾過され、かつ、濾過された試料検体の吸引サンプリングが可能な構造を備えた、便潜血等測定のための採便容器及び試料検体の採取方法に関する。
【背景技術】
【０００２】
便潜血の免疫化学的定量分析における分析精度を確保するためには、採便容器内の便懸濁液試料をあらかじめ濾過し、得られた澄明な濾液を分析試料とすることが必須である。  従来の採便容器は、容器内の便懸濁液試料をあらかじめ濾過し、得られた澄明な濾液を分析試料とするために、その構成要素として容器本体内に固定された濾過材を有していた（特許文献１〜５）。しかしながら、この方式では、採便容器内の便懸濁液試料を濾過し、該容器内液溜部または外部の濾液受容器に排出／滴下するためには、採便容器側面に物理的な圧力を加えなければならないという問題があった。
また、特許文献６には、フィルター部および液溜部を有する押し込み自在の別部材を、採便容器内の便懸濁液試料室に没入させて強制的に該懸濁液を濾過させ、濾液を液溜部に溜める方式の採便容器が開示されている。しかしながら、特許文献６に記載の採便容器では、容器の本体から独立した複雑な構造の部材を用意しなければならないという問題があった。
【０００３】
【特許文献１】特開平０５−３４３４０号公報
【特許文献２】特開平０６−１８６２２７号公報
【特許文献３】特開平０８−２９２１８９号公報
【特許文献４】特開平０９−２９２３９２号公報
【特許文献５】特開２０００−２５８３０８号公報
【特許文献６】特開平１０−１６０７２８号公報
【発明の開示】
【発明が解決しようとする課題】
【０００４】
従来の採便容器を自動分析機械に適用しようとする場合、採便容器内の便懸濁液試料を固定式濾過材で濾過し、得られた濾液を容器内液溜部または外部の濾液受容器に排出／滴下するためには、採便容器側面に物理的な圧力を加える必要があった。このため、従来の採便容器は、容器内に固定式濾過機構や液溜部を設置し、さらに、物理的な押圧を加えやすくするために、容器側面部分の材質を柔らかいものにする必要があり、採便容器の構造は複雑にならざるを得なかった。このような複雑な構造の採便容器は、使用時の不具合発生につながる恐れがあることから、より簡便な構造の採便容器が求められていた。
またさらに、固定式濾過材を有する従来の採便容器を使用する場合、容器内の便懸濁液を強制的に濾過して澄明な定量分析用試料を得るためには、採便容器側面に物理的な圧力を加える装置（押圧装置）を自動分析機内部に備えなければならないという問題があった。
【課題を解決するための手段】
【０００５】
本発明は、容器本体内に可動式濾過材を有し、該濾過材を押し下げることで容器内の便懸濁液を濾過すると同時に、濾過された試料を吸引サンプリングが可能な構造を備えた採便容器を提供することで上記課題を解決した。
【発明の効果】
【０００６】
本発明の採便容器は、容器内に固定された濾過材を有する従来の採便容器に比べて、大幅に単純な構造であるため、使用時の不具合発生頻度が少なく、便潜血の免疫化学的定量分析における分析精度が向上する。また、容器内の便懸濁液の濾過と試料検体の採取を同一の操作機構でおこなうことが可能となり、採便容器側面に物理的な圧力を加えるためにこれまで必須であった自動分析機の押圧装置を不要のものとした。さらに、従来の採便容器に比べて、再検時の試料検体採取が極めて容易となった。
【発明を実施するための最良の形態】
【０００７】
本発明の採便容器は、採便棒部および容器本体から構成される。容器本体上端は、穿刺可能な薄肉プラスチック成形、あるいはアルミシ−ルフィルム被覆とすることができる。容器本体下部は便懸濁液収容部であり、そこから上方に隔離された部分に可動式濾過材が設置される。可動式濾過材の材質の例として、ウレタンスポンジ、グラスウールなどが挙げられる。また、採便容器を輸送する過程に、該可動式濾過材が下方の便懸濁液収容部側に移動することを防ぐためのストッパ−を容器本体に設置することが好ましい。
本発明の採便容器において、濾過および試料検体採取は例えば、以下のようにおこなわれる。すなわち、試料検体吸引ノズルにより、容器本体上端被覆部を穿刺して該濾過材を押し下げることで容器内の便懸濁液を濾過すると同時に、濾過された試料検体を吸引サンプリングする。あるいは、あらかじめ独立した装置や治具（以下、穿刺棒と称す）により、容器本体上端被覆部を穿刺し、そのまま該濾過材を押し下げて容器内の便縣濁液を濾過する。その後、試料検体吸引ノズルにより試料検体を吸引サンプリングする方法も可能である。
本発明に用いられる試料検体吸引ノズルは、濾液吸引孔の位置をノズル先端部または先端寄り側面に設置することが望ましい。
容器本体下端部には、採便棒に付着させた検体糞便の一定量を採取するための摺り切り部が設置される。採便棒ハンドル部の断面形状は、識別ラベル貼付および書きこみが容易な扁平ないし長円形が好ましい。
以下、本発明を図１〜図５に基づいて詳細に説明するが、本発明はこれによって限定されるものではない。
【実施例１】
【０００８】
図１は、本発明の一実施例である採便容器本体および採便棒部の断面図である。容器本体１の下部は便懸濁液イ収容部２であり、そこから上方に隔離された部分に可動式濾過材３が設置される。ストッパ−４は、容器の輸送中等に可動式濾過材３が便懸濁液収容部２側に移動することを防ぐために設置される。容器本体上端５は、自動分析機の試料検体吸引ノズルにより穿刺可能な薄肉プラスチック成型、あるいはアルミシ−ルフィルム被覆である。容器本体下端部６は、採便棒で採取した糞便を一定量採取するための余剰糞便摺り切り部であり、一体成型あるいは別部材で構成されている。
本発明の採便容器において、糞便懸濁液イの濾過および試料検体採取は図２に示すようにおこなわれる。すなわち、容器本体上端被覆部５を穿刺した自動分析機の検体試料吸引ノズル７により該濾過材３を押し下げることで、便懸濁液収容部２内の便懸濁液を濾過すると同時に、濾過された試料検体ロを該ノズル７により吸引する。該ノズルの濾液吸引孔８の位置は、ノズル先端部（図４）または先端寄り側面（図５）に設置する。図３は採便棒ハンドル部９の断面図である。また、採便部１０は、糞便を採取し易い溝やブラシ等の構造であれば何でもよい。
【産業上の利用可能性】
【０００９】
本発明は、容器本体内に可動式濾過材を有し、該濾過材を押し下げることで容器内の便懸濁液を濾過すると同時に、濾過された試料を該ノズルにより吸引する構造を備えた採便容器を提供するものである。本発明の採便容器は従来の採便容器に比べて大幅に単純な構造であり、使用時の不具合発生頻度が少なく、便潜血の免疫化学的定量分析における分析精度が向上する。また、容器内の便懸濁液の濾過と試料検体の採取を同一の操作機構でおこなうことが可能となり、採便容器側面に物理的な圧力を加えるためにこれまで必須であった自動分析機の押圧装置を不要にする。さらに、従来の採便容器に比べて、再検時の試料検体採取が極めて容易となった。
【図面の簡単な説明】
【００１０】
【図１】本発明の一実施例である採便容器本体および採便棒部の断面図である。
【図２】本発明の一実施例である糞便懸濁液の濾過および試料検体採取方法である。
【図３】採便棒ハンドル部の断面図である。
【図４】本発明の一実施例である先端部に濾液吸引孔を設置したノズルの拡大図である。
【図５】本発明の一実施例である先端寄り側面に濾液吸引孔を設置したノズルの拡大図である。
【符号の説明】
【００１１】
１   容器本体
２   便懸濁液収容部
３   濾過材
４   濾過材ストッパ−部
５   上端被覆部（検体採取部）
６   糞便摺り切り
７   試料検体吸引ノズル
８   濾液吸引孔
９   採便棒ハンドル部
１０   採便部
イ   便懸濁液
ロ   便縣濁液の濾液
【図１】
2005114654.tif 000003
【図２】
2005114654.tif 000004
【図３】
2005114654.tif 000005
【図４】
2005114654.tif 000006
【図５】
2005114654.tif 000007